(57)【特許請求の範囲】
【請求項１】
基板上に、レーザ光により情報の記録が可能な記録層が設けられてなる情報記録媒体において、該記録層が、下記一般式（Ｉ）で表される色素化合物を含むことを特徴とする情報記録媒体。
【化１】
0004234822.tif 000054
［式中、Ｚ1 及びＺ2 は各々独立に、５員または６員の含窒素複素環を形成するために必要な原子群を表し、Ｒ1 およびＲ2 は各々独立にアルキル基を表し、Ｌ1 、Ｌ2 、Ｌ3 、Ｌ4 及びＬ5 は、各々独立に、置換されていてもよいメチン基を表し、ｎ１及びｎ２は各々独立に０又は１を表し、ｐおよびｑは各々独立に０または１を表し、そしてｋは分子内の電荷を中和させるために必要な１乃至１０の整数を表し；
Ｘ11及びＸ12は互いに同一で、酸素原子、＝ＮＲ31基、または＝ＣＲ32Ｒ33基を表し（但し、Ｒ31、Ｒ32及びＲ33は各々独立に水素原子又は置換基を表す。）、Ｒ34、Ｒ35、Ｒ36及びＲ37は各々独立に水素原子又は置換基を表し、かつＲ34、Ｒ35、Ｒ36及びＲ37のうちの少なくとも一つは陰イオンを有する置換基を表す。］
【請求項２】
一般式（Ｉ）において、アニオン性を示す成分が、下記一般式（Ｂ−Ｉ）又は（Ｂ−II）で表される請求項１に記載の情報記録媒体。
【化２】
0004234822.tif 000055
［式中、Ｒ38は、スルホン酸イオン又はカルボン酸イオンを表すか、あるいは、少なくとも一つのスルホン酸イオン又はカルボン酸イオンを有する、アルキル基、アルケニル基、アルキニル基、アリール基、アラルキル基、アシル基、アルキル又はアリールスルホニル基、アルキルスルフィニル基、アルコキシカルボニル基、アリールオキシカルボニル基、アルコキシ基、アリールオキシ基、メルカプト基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、またはヘテロ環基を表すかのいずれかであり、Ｒ39は水素原子又は置換基を表し、ｍは１乃至４の整数を表し、そしてｍ又は４−ｍが二以上の整数を表すとき、複数のＲ38及び複数のＲ39は、それぞれ互いに同じであっても異なっていてもよい。]
【化３】
0004234822.tif 000056
［式中、Ｒ40は、スルホン酸イオン又はカルボン酸イオンを表すか、あるいは、少なくとも一つのスルホン酸イオン又はカルボン酸イオンを有する、アルキル基、アルケニル基、アルキニル基、アリール基、アラルキル基、アシル基、アルキル又はアリールスルホニル基、アルキルスルフィニル基、アルコキシカルボニル基、アリールオキシカルボニル基、アルコキシ基、アリールオキシ基、メルカプト基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、またはヘテロ環基を表すかのいずれかであり、Ｒ41は、水素原子又は置換基を表し、ｍ１は、１乃至４の整数を表し、ｍ１又は４−ｍ１が二以上の整数を表すとき、複数のＲ40及び複数のＲ41は、それぞれ互いに同じであっても異なっていてもよい。]
【請求項３】
一般式（Ｉ）において、カチオン性を示す成分が、下記一般式（Ａ−II）で表される請求項１又は２に記載の情報記録媒体。
【化４】
0004234822.tif 000057
［式中、Ｚ5 及びＺ6 は、各々独立に、置換基を有していても良い、ベンゼン環、ナフタレン環、ピラジン環、又はキノキサリン環を形成するのに必要な原子群を表し、Ｘ3 及びＸ4 は、各々独立に、酸素原子、硫黄原子、−ＮＲ12−基、または−ＣＲ13Ｒ14−基を表し、Ｒ9 、Ｒ10、Ｒ12、Ｒ13及びＲ14は各々独立に炭素数１乃至８のアルキル基を表し、Ｒ11は、水素原子又は炭素数１乃至８のアルキル基、炭素数７乃至１０のアラルキル基、炭素数６乃至１０のアリール基、ヘテロ環基、ハロゲン原子、炭素数１乃至８のカルバモイル基を表し、そしてｋは、１乃至４の整数を表す。］
【請求項４】
記録層の上に更に反射層を有する請求項１乃至３のいずれかの項に記載の情報記録媒体。
【発明の詳細な説明】
【０００１】
【発明の属する技術分野】
本発明は、高エネルギー密度のレーザ光を用いて情報の書き込みが可能な情報記録媒体に関するものである。
【０００２】
【従来の技術】
レーザ光等の高エネルギー密度のビームを用いる情報記録媒体が開発され、実用化されている。この情報記録媒体は光ディスク（ＣＤ）と称され、ビデオ・ディスク、オーディオ・ディスク、更には大容量静止画像ファイルおよび大容量コンピュータ用ディスク・メモリなどとして利用されている。これらの光ディスクの中でも一回限りの情報の記録が可能な光ディスクは、追記型ＣＤ（所謂ＣＤ−Ｒ）、あるいはＤＲＡＷ（Direct Read After Write)型とも称され、最近のパーソナルコンピュータなどの普及に伴ってその利用範囲も拡大している。ＣＤ−Ｒ型の光ディスクは、コンピュータなどから必要な情報をＣＤ−Ｒ記録装置を利用して記録することができ、しかもこのようにして作成したＣＤを市販のＣＤプレーヤーにより、再生できる利点がある。
【０００３】
ＣＤ−Ｒ型の光ディスクは基本構造として、ガラス、合成樹脂などからなる円盤状基板と、この上に設けられたＢｉ、Ｓｎ、Ｉｎ、Ｔｅなどの金属または半金属；又はシアニン系、金属錯体系、キノン系などの色素からなる記録層とを有する。なお、記録層が設けられる側の基板表面には通常、基板の平面性の改善、記録層との接着力の向上あるいは光ディスクの感度の向上などの点から、高分子物質からなる中間層が設けられることが多い。
【０００４】
光ディスクへの情報の書き込み（記録）及び読みとり（再生）は通常、下記の方法により行われる。情報の書き込みはレーザービームをこの光ディスクに照射することにより行われ、記録層の照射部分がその光を吸収して局所的に温度が上昇し、物理的あるいは化学的な変化（例えば、ピットなどの生成）が生じてその光学的特性を変えることにより情報が記録される。情報の読みとりもまた、レーザービームを光ディスクに照射することにより行われ、記録層の光学的特性の変化に応じた反射光又は透過光を検出することにより情報が再生される。
【０００５】
このような情報記録媒体の記録層を形成する記録材料として上記のように金属類や色素などが知られている。色素を用いた情報記録媒体は、金属などの記録材料に比べて高感度であるなど記録媒体自体の特性において長所を有するほかに、記録層を塗布法により簡単に形成することが出来るという製造上の大きな利点をも有している。しかしながら、色素からなる記録層は、一般に反射率が低い、再生信号のＣ／Ｎが低いなどの特性上の問題、及び色素記録層が光の照射により経時的に劣化し易いなどの欠点を有している。
【０００６】
上記反射率及びＣ／Ｎが向上した色素からなる記録層として、特開昭６４ー４０３８２号公報にベンゾインドレニン骨格を有するシアニン系色素からなる記録層を有する光ディスクが開示されている。また、同様な記録層として、特開昭６４ー４０３８７号公報にはベンゾインドレニン骨格（インドレニン骨格にベンゼン環が縮合した構造）を有するジカルボシアニン系色素（メチン鎖が５個）とインドレニン骨格を有するトリカルボシアニン系色素（メチン鎖が７個）とからなる記録層が設けられた光ディスクが開示されている。これはベンゾインドレニン骨格を有するジカルボシアニン系色素の高反射率を維持させながら、インドレニン骨格を有するトリカルボシアニン系色素を併用することによりＣ／Ｎの向上を図ったものである。
【０００７】
また、反射率を向上させるためには、色素記録層の上に更に反射層を設けることが一般的に行われている。このような例が、日経エレクトロニクス（１０７頁、１９８９年１月２３日発行）に記載されている。これによると上記記録媒体の記録層に用いられる色素は不明であるが、その記録方法が、色素記録層のレーザーの吸収により色素が融解され、これに伴ってプラスチック基板が加熱されて該基板が記録層側に盛り上がってピットが形成されることによって行われるとの開示がなされている。この反射層は金の蒸着膜である。そして本発明者の検討によれば、この色素記録層に、上記ベンゾインドレニン骨格を有するシアニン色素を用いると、比較的Ｃ／Ｎも高く、向上した反射率を有する光ディスクを得ることが出来るとされる。
【０００８】
しかしながら、このような色素記録層を有する情報記録媒体は、耐光性についてはまったく満足できるものではなく、そのため、一重項酸素クエンチャーを添加することが一般に行われている。例えば、耐光性が向上した記録層として、特開平２ー３００２８８号公報にシアニン系色素とニトロソ化合物からなる記録層を有する光ディスクが開示されている。また、同様に耐光性が向上した記録層として、特開平４−１４６１８９号公報にベンゾインドレニン骨格を有するジカルボシアニン系色素（メチン鎖が５個）とニッケル錯体とからなる記録層が設けられた光ディスクが開示されている。これらは、一重項酸素クエンチャーとして一般的によく知られているニトロソ化合物やニッケル錯体を併用することによりシアニン色素の耐光性の向上を図ったものである。しかし、ニトロソ化合物は耐光性を向上させるためには大量の添加が必要であるが、ニトロソ化合物の添加は反射率を著しく低下させるため、大量に添加したくてもできないという大きな問題がある。また、ニッケル錯体は環境上において好ましくない化合物である。
【０００９】
特開昭６３−６４７９４号公報には、シアニン系色素と電子受容性化合物とを含む記録層を有する、耐光性を改良した光情報記録媒体が提案されている。そしてここには、具体例として、シアニン系色素としては、ベンゾインドレニン骨格などを有するトリカルボシアニン系色素（メチン鎖が７個）が記載されており、一方、電子受容性化合物としては、テトラシアノキノジメタン（ＴＣＮＱ）とテトラシアノエチレンが記載されている。しかしながら、本発明者の検討では、上記のようなシアニン系色素と電子受容性化合物との組み合わせにおいても必ずしも充分な耐光性が得られるとは言えないことが判明した。特に記録後の耐光性（アーカイバル耐光性）については充分でないことがわかった。尚、特開平８−１０８６３１号公報には、記録層を、シアニン系色素を有機電子供与体とするＴＣＮＱ電荷移動錯体で構成した光記録媒体が提案されている。しかし、シアニン系色素とＴＣＮＱとから生成した色素を用いた場合でも耐光性においては十分でない。
【００１０】
近年、記録密度のより高い情報記録媒体が求められている。記録密度を高めるには、照射されるレーザの光径を小さく絞ることが有効であり、また波長が短いレーザ光ほど光径を小さく絞ることができるため、高密度化に有利であることが理論的に知られている。従って、従来から一般的に用いられている７８０ｎｍより短波長のレーザ光を用いて記録再生を行うための光ディスクの開発が進められており、例えば、追記型デジタル・ビデオ・ディスク（所謂ＤＶＤ−Ｒ）と称される光ディスクが提案されている。ＤＶＤ−Ｒ型の光ディスクは、可視レーザ光（通常は６００ｎｍ〜７００ｎｍの範囲の波長のレーザ光）を照射することにより、記録及び再生が行われ、前述のようなＣＤ−Ｒ型の光ディスクに比べて更に高密度の記録が可能であるとされている。
【００１１】
【発明が解決しようとする課題】
本発明の目的は、記録再生特性を損なわずに耐光性が向上した有機色素を含む色素記録層を有する情報記録媒体（光ディスク）を提供することである。
【００１２】
【課題を解決するための手段】
本発明者の研究により、従来のシアニン色素において、その対イオン（アニオン）として前記式で示されるｗｕｒｓｔｅｒ（ウルスター）型の電子受容体を新たに導入した色素を用いることにより、記録再生特性に優れ、しかも従来に比べて耐光性や保存耐久性、特に耐光性が格段に改善され、保存安定性の高い情報記録媒体を製造できることが見出された。
【００１３】
本発明は、基板上に、レーザ光により情報の記録が可能な記録層が設けられてなる情報記録媒体において、該記録層が、下記一般式（Ｉ）で表される色素化合物を含むことを特徴とする情報記録媒体にある。
【００１４】
【化５】
0004234822.tif 000002
【００１５】
［式中、Ｚ1 及びＺ2 は各々独立に、５員または６員の含窒素複素環を形成するために必要な原子群を表し、Ｒ1 およびＲ2 は各々独立にアルキル基を表し、Ｌ1 、Ｌ2 、Ｌ3 、Ｌ4 及びＬ5 は、各々独立に、置換されていてもよいメチン基を表し、ｎ１及びｎ２は各々独立に０又は１を表し、ｐおよびｑは各々独立に０または１を表し、そしてｋは分子内の電荷を中和させるために必要な１乃至１０の整数を表し；
Ｘ11及びＸ12は互いに同一で、酸素原子、＝ＮＲ31基、または＝ＣＲ32Ｒ33基を表し（但し、Ｒ31、Ｒ32及びＲ33は各々独立に水素原子又は置換基を表す。）、Ｒ34、Ｒ35、Ｒ36及びＲ37は各々独立に水素原子又は置換基を表し、かつＲ34、Ｒ35、Ｒ36及びＲ37のうちの少なくとも一つは陰イオンを有する置換基を表す。］
【００１６】
本発明の情報記録媒体は、以下の態様であることが好ましい。
（１）一般式（Ｉ）において、アニオン性を示す成分が、下記一般式（Ｂ−Ｉ）又は（Ｂ−II）で表される。
【００１７】
【化６】
0004234822.tif 000003
【００１８】
［式中、Ｒ38は、スルホン酸イオン又はカルボン酸イオンを表すか、あるいは、少なくとも一つのスルホン酸イオン又はカルボン酸イオンを有する、アルキル基、アルケニル基、アルキニル基、アリール基、アラルキル基、アシル基、アルキル又はアリールスルホニル基、アルキルスルフィニル基、アルコキシカルボニル基、アリールオキシカルボニル基、アルコキシ基、アリールオキシ基、メルカプト基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、またはヘテロ環基を表すかのいずれかであり、Ｒ39は水素原子又は置換基を表し、ｍは１乃至４の整数を表し、そしてｍ又は４−ｍが二以上の整数を表すとき、複数のＲ38及び複数のＲ39は、それぞれ互いに同じであっても異なっていてもよい。]
【００１９】
【化７】
0004234822.tif 000004
【００２０】
［式中、Ｒ40は、スルホン酸イオン又はカルボン酸イオンを表すか、あるいは、少なくとも一つのスルホン酸イオン又はカルボン酸イオンを有する、アルキル基、アルケニル基、アルキニル基、アリール基、アラルキル基、アシル基、アルキル又はアリールスルホニル基、アルキルスルフィニル基、アルコキシカルボニル基、アリールオキシカルボニル基、アルコキシ基、アリールオキシ基、メルカプト基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、またはヘテロ環基を表すかのいずれかであり、Ｒ41は、水素原子又は置換基を表し、ｍ１は、１乃至４の整数を表し、ｍ１又は４−ｍ１が二以上の整数を表すとき、複数のＲ40及び複数のＲ41は、それぞれ互いに同じであっても異なっていてもよい。]
【００２１】
（２）上記一般式（Ｂ−Ｉ）又は（Ｂ−II）において、Ｒ38及びＲ40は、各々スルホン酸イオン又はカルボン酸イオンを表すか、あるいは、一又は二個のスルホン酸イオン又はカルボン酸イオンを有する、アルキル基、アルケニル基、アリール基、アルコキシ基、メルカプト基、アルキルチオ基、アルキルアミノ基、アミド基、スルホンアミド基、ウレイド基、またはヘテロ環基を表すかのいずれかである。
（３）上記一般式（Ｂ−Ｉ）又は（Ｂ−II）において、Ｒ39及びＲ41は、各々水素原子、アルキル基、アルケニル基、アシル基、アルキル又はアリールスルホニル基、アルキルスルフィニル基、アルコキシカルボニル基、アリールオキシカルボニル基、アルコキシ基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、ハロゲン原子、ニトロ基、又はシアノ基を表す。
（４）上記一般式（Ｂ−Ｉ）又は（Ｂ−II）において、ｍ及びｍ１はそれぞれ１又は２であり、更に好ましくは、ｍ及びｍ１はそれぞれ共に１である。
（５）一般式（Ｉ）において、カチオン性を示す成分が、下記一般式（Ａ−Ｉ）又は（Ａ−II）で表される。
【００２２】
【化８】
0004234822.tif 000005
【００２３】
［式中、Ｚ3 及びＺ4 は、各々独立に、置換基を有していても良い、ベンゼン環、ナフタレン環、ピラジン環、又はキノキサリン環を形成するのに必要な原子団を表し、Ｘ１及びＸ２は、各々独立に、酸素原子、硫黄原子、セレン原子、−ＮＲ6 −基、または−ＣＲ7 Ｒ8 −基を表し、Ｒ3 、Ｒ4 、Ｒ6 、Ｒ7 及びＲ8 は各々独立に炭素数１〜８のアルキル基を表し、Ｒ５は、水素原子又は炭素数１〜８のアルキル基、炭素数７〜１０のアラルキル基、炭素数６〜１０のアリール基、ヘテロ環基、ハロゲン原子、炭素数１〜８のカルバモイル基を表し、上記の置換基は可能である場合は更に置換基を有していてもよく、そしてｋは、１〜４の整数を表す。］
【００２４】
【化９】
0004234822.tif 000006
【００２５】
［式中、Ｚ５及びＺ６は、各々独立に、置換基を有していても良い、ベンゼン環、ナフタレン環、ピラジン環、又はキノキサリン環を形成するのに必要な原子団を表し、Ｘ３及びＸ４は、各々独立に、酸素原子、硫黄原子、−ＮＲ12−基、または−ＣＲ13Ｒ14−基を表し、Ｒ9 、Ｒ10、Ｒ12、Ｒ13及びＲ14は各々独立に炭素数１〜８のアルキル基を表し、Ｒ11は、水素原子又は炭素数１〜８のアルキル基、炭素数７〜１０のアラルキル基、炭素数６〜１０のアリール基、ヘテロ環基、ハロゲン原子、炭素数１〜８のカルバモイル基を表し、上記の置換基は可能である場合は更に置換基を有していてもよく、そしてｋは、１〜４の整数を表す。］
（６）上記（５）の一般式（Ａ−II）で表される成分は、更に一般式（Ａ−II−１）、（Ａ−II−２）、又は（Ａ−II−３）で表される。
【００２６】
【化１０】
0004234822.tif 000007
【００２７】
[ 式中、Ｒ15、Ｒ16、Ｒ18、Ｒ19、Ｒ20、及びＲ21は、各々独立に、無置換の炭素数１〜６のアルキル基を表し、Ｒ17は水素原子または無置換の炭素数１〜６のアルキル基を表し、そしてｋは、１又は２を表す。］
【００２８】
【化１１】
0004234822.tif 000008
【００２９】
［式中、Ｒ15、Ｒ16、Ｒ18、Ｒ19、Ｒ20、及びＲ21は、各々独立に、無置換の炭素数１〜６のアルキル基を表し、Ｒ17は水素原子または無置換の炭素数１〜６のアルキル基を表し、Ｘは、水素原子、無置換の炭素数１〜６のアルキル基、又は炭素数１〜６のアルコキシ基を表し、そしてｋは、１又は２を表す。］
【００３０】
【化１２】
0004234822.tif 000009
【００３１】
[ 式中、Ｒ15、Ｒ16、Ｒ18、Ｒ19、Ｒ20、及びＲ21は、各々独立に、炭素数１〜８のアルキル基を表し、Ｒ17は水素原子または炭素数１〜６のアルキル基を表し、そしてｋは、１又は２を表す。］
（７）記録層の上に更に反射層を有する。
（８）記録層の上に更に反射層及び保護層をこの順に有する。
【００３２】
【発明の実施の形態】
本発明の情報記録媒体は、基板上に有機色素を含む記録層が設けられており、該色素記録層が、下記一般式（Ｉ）で表される色素化合物を含むことを特徴とするものである。
【００３３】
【化１３】
0004234822.tif 000010
【００３４】
式中、Ｚ1 及びＺ2 は、各々独立に、５または６員の含窒素複素環を形成するために必要な原子群を表す。Ｒ1 及びＲ2 は各々独立にアルキル基を表す。Ｌ1 、Ｌ2 、Ｌ3 、Ｌ4 及びＬ5 は、各々独立に、置換されていてもよいメチン基を表す。ｎ１及びｎ２は各々独立に０または１を表す。ｐおよびｑは各々独立に０または１を表す。ｋは分子中の電荷を中和させるために必要な１乃至１０の整数を表す。
Ｘ11及びＸ12は互いに同一で、酸素原子、＝ＮＲ31基、または＝ＣＲ32Ｒ33基を表し（但し、Ｒ31、Ｒ32及びＲ33は各々独立に水素原子又は置換基を表す。）、Ｒ34、Ｒ35、Ｒ36及びＲ37は各々独立に水素原子又は置換基を表し、かつＲ34、Ｒ35、Ｒ36及びＲ37のうちの少なくとも一つは陰イオンを有する置換基を表す。
【００３５】
本発明の色素化合物は、色素成分であるカチオン性を示す成分（Ａ）（以下単に、カチオン部）とアニオン性を示す成分（Ｂ）（以下、単にアニオン部）からなる。
まず、カチオン部（Ａ）について詳述する。
Ｚ1 及びＺ2 は各々独立に５員または６員の含窒素複素環を形成するために必要な原子群を表す。ｐおよびｑは各々独立に０または１を表す。ｐおよびｑは共に０であることが好ましい。Ｚ1 又はＺ2 によって形成される核としては、３，３−ジアルキルインドレニン核、３，３−ジアルキルベンゾインドレニン核、チアゾール核、ベンゾチアゾール核、ナフトチアゾール核、チアゾリン核、オキサゾール核、ベンゾオキサゾール核、ナフトオキサゾール核、オキサゾリン核、セレナゾール核、ベンゾセレナゾール核、ナフトセレナゾール核、セレナゾリン核、テルラゾール核、ベンゾテルラゾール核、ナフトテルラゾール核、テルラゾリン核、イミダゾール核、ベンゾイミダゾール核、ナフトイミダゾール核、ピリジン核、キノリン核、イソキノリン核、イミダゾ〔４，５−ｂ〕キノキザリン核、オキサジアゾール核、チアジアゾール核、テトラゾール核、及びピリミジン核などを挙げることができる。ここで挙げられた５または６員の含窒素複素環は、可能な場合は、置換基（置換原子であってもよい）を有していても良い。
【００３６】
上記置換基の例としては、例えば、ハロゲン原子又は、炭素原子、酸素原子、窒素原子、硫黄原子及び水素原子で構成される置換基を挙げることができる。具体的には、ハロゲン原子、アルキル基、アルケニル基、アルキニル基、アリール基、アラルキル基、ヘテロ環基、シアノ基、ニトロ基、メルカプト基、ヒドロキシ基、アルコキシ基、アリールオキシ基、スルホニルオキシ基、カルバモイルオキシ基、アルキルチオ基、アリールチオ基、アシルオキシ基、アミノ基、アルキルアミノ基、カルボンアミド基、スルホンアミド基、スルファモイルアミノ基、アルコキシカルボニルアミノ基、アルコキシスルホニルアミノ基、ウレイド基、チオウレイド基、アシル基、アルコキシカルボニル基、アリールオキシカルボニル基、カルバモイル基、スルホニル基、スルフィニル基、スルファモイル基、カルボキシル基（塩を含む）、及びスルホ基（塩を含む）を挙げることができる。これらは更にこれらの置換基で置換されていてもよい。
【００３７】
上記置換基の例を更に詳しく説明する。
ハロゲン原子としては例えば、フッ素原子、塩素原子、及び臭素原子を挙げることができる。アルキル基としては、炭素数１〜１８（更に好ましくは炭素数１〜８）の直鎖、分岐鎖または環状のアルキル基が好ましく、例えば、メチル、エチル、プロピル、イソプロピル、ブチル、イソブチル、ペンチル、２ーヒドロキシエチル、４ーカルボキシブチル、ヘキシル、及びオクチルを挙げることができる。アルケニル基としては、炭素数２〜１８（更に好ましくは炭素数２〜８）の直鎖、分岐鎖または環状のアルケニル基が好ましく、例えば、ビニル、アリル、１ープロペニル、２ーペンテニル、１，３ーブタジエニル、２ーオクテニルを挙げることができる。アルキニル基としては、炭素数２〜１８（更に好ましくは炭素数２〜８）のアルケニル基が好ましく、例えば、エチニルを挙げることができる。
【００３８】
アリール基としては、炭素数６〜１０のアリール基が好ましく、例えば、フェニル、ナフチル、４ーカルボキシフェニル、３ーカルボキシフェニル、３，５−ジカルボキシフェニル、４ーメタンスルホンアミドフェニル、及び４ーブタンスルホンアミドフェニルを挙げることができる。アラルキル基としては、炭素数７〜１０のアラルキル基が好ましく、例えば、ベンジル、フェネチルを挙げることができる。ヘテロ環基としては、炭素原子、窒素原子、酸素原子、あるいは硫黄原子から構成される５〜６員環の飽和または不飽和のヘテロ環基であることが好ましく、環を構成するヘテロ原子の数及び元素の種類は１つでも複数であってもよく、例えば、オキサゾール環、ベンゾオキサゾール環、５ーカルボキシベンゾオキサゾール環、チアゾール環、イミダゾール環、ピリジン環、スルホラン環、フラン環、チオフェン環、ピラゾール環、ピロール環、クロマン環、及びクマリン環を挙げることができる。
【００３９】
アルコキシ基としては、炭素数１〜１８（更に好ましくは炭素数１〜８）のアルコキシ基が好ましく、例えば、メトキシ、エトキシ、プロポキシ、及びブトキシを挙げることができる。アリールオキシ基としては、炭素数６〜１０のアリールオキシ基が好ましく、例えば、フェノキシ、ｐーメトキシフェノキシなどを挙げることができる。スルホニルオキシ基としては、炭素数１〜１８（更に好ましくは炭素数１〜８）のスルホニルオキシ基が好ましく、例えば、メタンスルホニルオキシを挙げることができる。カルバモイルオキシ基としては、炭素数２〜１８（更に好ましくは炭素数２〜８）のカルバモイルオキシ基が好ましく、例えば、メチルカルバモイルオキシ、ジエチルカルバモイルオキシを挙げることができる。アルキルチオ基としては、炭素数１〜１８（更に好ましくは炭素数１〜８）のアルキルチオ基が好ましく、例えば、メチルチオ、エチルチオを挙げることができる。アリールチオ基としては、炭素数６〜１０のアリールチオ基が好ましく、例えば、フェニルチオを挙げることができる。アシルオキシ基としては、炭素数１〜１８（更に好ましくは炭素数１〜８）のアシルオキシ基が好ましく、例えば、アセトキシ、プロパノイルオキシ、ペンタノイルオキシ、オクタノイルオキシを挙げることができる。
【００４０】
アルキルアミノ基としては、炭素数１〜１８（更に好ましくは炭素数１〜８）のアルキルアミノ基が好ましく、例えば、メチルアミノ、ジメチルアミノ、ジエチルアミノ、ジブチルアミノ、及びオクチルアミノを挙げることができる。カルボンアミド基としては、炭素数１〜１８（更に好ましくは、炭素数１〜８）のカルボンアミド基が好ましく、例えば、アセトアミド、プロパノイルアミノ、ペンタノイルアミノ、オクタノイルアミノ、オクタノイルメチルアミノ、及びベンズアミドを挙げることができる。スルホンアミド基としては、炭素数１〜１８（更に好ましくは炭素数１〜８）のスルホンアミド基が好ましく、例えば、メタンスルホンアミド、エタンスルホンアミド、プロピルスルホンアミド、ブタンスルホンアミド、ベンゼンスルホンアミドを挙げることができる。スルファモイルアミノ基としては、スルファモイルアミノ、炭素数１〜１８（更に好ましくは炭素数１〜８）の置換基を有していてもよいスルファモイルアミノ基が好ましく、例えば、メチルスルファモイルアミノ、ジメチルスルファモイルアミノ、エチルスルファモイルアミノ、プロピルスルファモイルアミノ、オクチルスルファモイスアミノを挙げることができる。アルコキシカルボニルアミノ基としては、炭素数２〜１８（更に好ましくは炭素数２〜８）のアルコキシカルボニルアミノ基が好ましく、例えば、メトキシカルボニルアミノ、エトキシカルボニルアミノを挙げことができる。アルコキシスルホニルアミノ基としては、炭素数１〜１８（更に好ましくは炭素数１〜８）のアルコキシスルホニルアミノ基が好ましく、例えば、メトキシスルホニルアミノ、エトキシスルホニルアミノを挙げることができる。
【００４１】
ウレイド基としては、炭素数１〜１８（更に好ましくは炭素数１〜８）の置換基を有していてもよいウレイド基が好ましく、例えば、ウレイド、メチルウレイド、Ｎ，Ｎージメチルウレイド、オクチルウレイドを挙げることができる。チオウレイド基としては、炭素数１〜１８（更に好ましくは炭素数１〜８）の置換基を有していてもよいチオウレイド基が好ましく、例えば、チオウレイド、メチルチオウレイド、Ｎ，Ｎージメチルチオウレイド、及びオクチルチオウレイドを挙げることができる。アシル基は、炭素数０〜１８（更に好ましくは炭素数０〜８）のアシル基が好ましく、例えばホルミル、アセチル、ベンゾイル、プロパノイルを挙げることができる。アルコキシカルボニル基としては、炭素数１〜１８（更に好ましくは炭素数１〜８）のアルコキシカルボニル基が好ましく、例えば、メトキシカルボニル、エトキシカルボニル、オクチルオキシカルボニルを挙げることができる。アリールオキシカルボニル基としては、炭素数７〜１８（更に好ましくは炭素数７〜１２）のアリールオキシカルボニル基が好ましく、例えば、フェノキシカルボニル、４−メチルフェノキシカルボニル、４−メトキシフェノキシカルボニルを挙げることができる。
【００４２】
カルバモイル基としては、炭素数１〜１８（更に好ましくは炭素数１〜８）の置換基を有していてもよいカルバモイル基が好ましく、例えば、カルバモイル、Ｎ, Ｎージメチルカルバモイル、Ｎ−エチルカルバモイルを挙げることができる。スルホニル基としては、炭素数１〜１８（更に好ましくは炭素数１〜８）のスルホニル基が好ましく、例えば、メタンスルホニル、エタンスルホニル、ベンゼンスルホニルを挙げることができる。スルフィニル基としては、炭素数１〜１８（更に好ましくは炭素数１〜８）のスルフィニル基が好ましく、例えば、メタンスルフィニル、エタンスルフィニル、オクタンスルフィニルを挙げることができる。スルファモイル基としては、スルファモイル、炭素数１〜１８（更に好ましくは炭素数１〜８）の置換基を有していてもよいスルファモイル基が好ましく、例えば、スルファモイル、ジメチルスルファモイル、エチルスルファモイル、ブチルスルファモイル、オクチルスルファモイル、フェニルスルファモイルを挙げることができる。
【００４３】
Ｚ1 およびＺ2 は、各々独立に、置換基を有していてもよい、３，３−ジアルキルインドレニン核、又は３，３−ジアルキルベンゾインドレニン核であることが好ましい。更に好ましくは、Ｚ1 およびＺ2 が共に、置換基を有していてもよい、３，３−ジアルキルインドレニン核、又は３，３−ジアルキルベンゾインドレニン核であることが好ましい。
【００４４】
Ｒ１およびＲ２はそれぞれアルキル基を表す。Ｒ１、及びＲ２で表されるアルキル基としては、炭素数１〜１８（好ましくは炭素数１〜８）の置換または無置換の直鎖、分岐鎖または環状のアルキル基であり、その置換基としては、前記含窒素複素環の置換基の例と同義であり、またその好ましい範囲も同一である。好ましくは、無置換のアルキル基、あるいはアリール基、ハロゲン原子、ヒドロキシ基、アルコキシ基、アシルオキシ基、カルボンアミド基、スルホンアミド基、オキシカルボニル基、カルボキシル基、スルホ基で置換されたアルキル基である。これらの例としては、メチル、エチル、プロピル、ブチル、イソブチル、２−エチルヘキシル、オクチル、ベンジル、２−フェニルエチル、２−ヒドロキシエチル、３−ヒドロキシプロピル、２−カルボキシエチル、３−カルボキシプロピル、４−カルボキシブチル、カルボキシメチル、２−メトキシエチル、２−（２−メトキシエトキシ）エチル、２−スルホエチル、３−スルホプロピル、３−スルホブチル、４−スルホブチル、２−（３−スルホプロポキシ）エチル、２−ヒドロキシ−３−スルホプロピル、３−スルホプロポキシエトキシエチル、２−アセトキシエチル、カルボメトキシメチル、及び２−メタンスルホニルアミノエチルなどを挙げることができる。
【００４５】
Ｌ1 、Ｌ2 、Ｌ3 、Ｌ4 、及びＬ5 で表されるメチン基は、同一でも異なっていてもよく、置換基を有していても良いメチン基を表す。その置換基の詳細としては、含窒素複素環の置換基の例と同義であり、またその好ましい範囲も同一である。また、置換基同士が連結して５〜７員環を形成してもよく、あるいは助色団と環を形成することもできる。ここで置換基同士が連結して形成する５〜７員環としては、例えばシクロペンテン環、１−ジメチルアミノシクロペンテン環、１−ジフェニルアミノシクロペンテン環、シクロヘキセン環、１−クロロシクロヘキセン環、イソホロン環、１−モルホリノシクロペンテン環、及びシクロヘプテン環を挙げることができる。ｎ１及びｎ２は各々独立に０又は１を表す。ｋは、分子内の電荷を中和させるために必要な１〜１０の整数を表す。ｋは、好ましくは、１〜４の整数であり、更に好ましくは、１又は２である。
上記カチオン部は、任意の炭素原子上で二種が結合してビス型構造を形成していてもよい。
【００４６】
上記カチオン性を示す成分（Ａ）は、好ましくは、下記の一般式（Ａ−Ｉ）又は（Ａ−II）で表される。
【００４７】
【化１４】
0004234822.tif 000011
【００４８】
式中、Ｚ3 及びＺ4 は、各々独立に、置換基を有していても良い、ベンゼン環、ナフタレン環、ピラジン環、又はキノキサリン環を形成するのに必要な原子団を表す。Ｘ１及びＸ２は、各々独立に、酸素原子、硫黄原子、セレン原子、−ＮＲ6 −基、または−ＣＲ7 Ｒ8 −基を表す。Ｒ3 、Ｒ4 、Ｒ6 、Ｒ7 及びＲ8 は各々独立に炭素数１〜８のアルキル基を表す。Ｒ５は、水素原子又は炭素数１〜８のアルキル基、炭素数７〜１０のアラルキル基、炭素数６〜１０のアリール基、ヘテロ環基、ハロゲン原子、又は炭素数１〜８のカルバモイル基を表し、上記の置換基は可能である場合は、更に置換基を有していてもよい。そしてｋは、１〜４の整数を表す。
【００４９】
【化１５】
0004234822.tif 000012
【００５０】
式中、Ｚ５及びＺ６は、各々独立に、置換基を有してもよいベンゼン環、ナフタレン環、ピラジン環、又はキノキサリン環を形成するために必要な原子団を表す。Ｘ３及びＸ４は、各々独立に、酸素原子、硫黄原子、−ＮＲ12−基、または−ＣＲ13Ｒ14−基を表す。Ｒ9 、Ｒ10、Ｒ12、Ｒ13及びＲ14は各々独立に炭素数１〜８のアルキル基を表す。Ｒ11は、水素原子又は炭素数１〜８のアルキル基、炭素数７〜１０のアラルキル基、炭素数６〜１０のアリール基、ヘテロ環基、ハロゲン原子、又は炭素数１〜８のカルバモイル基を表し、上記の置換基は可能である場合は、更に置換基を有していてもよい。そしてｋは、１〜４の整数を表す。
【００５１】
上記一般式（Ａ−Ｉ）又は（Ａ−II）において、Ｚ3 、Ｚ4 、Ｚ５及びＺ６で表される、ベンゼン環、ナフタレン環、ピラジン環、又はキノキサリン環上の置換基は、上記（Ａ）で示される成分における含窒素複素環の置換基の例と同義であり、又その好ましい範囲も同一である。上記Ｒ3 、Ｒ4 、Ｒ6 、Ｒ7 、Ｒ8 、Ｒ9 、Ｒ10、Ｒ12、Ｒ13及びＲ14で表されるアルキル基は、上記（Ａ）で示される成分におけるＲ１およびＲ２で表されるアルキル基の例と同義であり、又その好ましい範囲も同一である。上記Ｒ５及びＲ11で表される置換基は、上記（Ａ）で示される成分における含窒素複素環の置換基の例と同義であり、又その好ましい範囲も同一である。
【００５２】
上記一般式（Ａ−Ｉ）において、Ｚ3 及びＺ4 は、各々独立に無置換の、ベンゼン環、ナフタレン環、又はキノキサリン環を形成するために必要な原子群、あるいはアルキル基、ハロゲン原子、シアノ基、アルコキシ基、アルコキシキカルボニル基、アシル基、アミド基、またはスルファモイル基からなる群より選ばれる１又は２個の基又は原子で置換されたベンゼン環を形成するために必要な原子群であることが好ましい。上記アルキル基は、メチルであることが好ましい。上記ハロゲン原子は、塩素原子又は臭素原子であることが好ましい。上記アルコキシ基は、メトキシであることが好ましい。上記アルコキシカルボニル基は、エトキシカルボニルであることが好ましい。上記アシル基は、プロパノイルであることが好ましい。上記アミド基は、ベンズアミドであることが好ましい。スルファモイル基は、無置換のスルファモイルであることが好ましい。
【００５３】
Ｘ１、及びＸ２は、各々独立に、酸素原子、−ＮＲ6 −基、または−ＣＲ7 Ｒ8 −基であることが好ましい。Ｒ6 、Ｒ7 、及びＲ8 は、各々独立に無置換の炭素数１〜６のアルキル基であることが好ましい。
上記Ｒ3 、及びＲ4 は、各々独立に、無置換の炭素数１〜６のアルキル基、あるいはスルホ基で置換された炭素数１〜６のアルキル基であることが好ましい。上記Ｒ5 は、水素原子又は無置換の炭素数１〜６のアルキル基、又は炭素数１〜８のカルバモイル基であることが好ましい。ｋは、１又は２であることが好ましい。上記Ｒ3 、Ｒ4 、Ｒ5 、Ｒ6 、Ｒ7 、及びＲ8 で表される炭素素数１〜６のアルキル基は、好ましくは、メチル、エチル、プロピル、イソプロピル、ｎ−ブチル、イソブチル、ｓｅｃ−ブチル、又はｔ−ブチルであり、更に好ましくは、メチル、エチル、プロピル、又はｎ−ブチルである。炭素数１〜８のカルバモイル基は、無置換のカルバモイル基であることが好ましい。
【００５４】
上記一般式（Ａ−II）において、Ｚ５及びＺ６は、前記一般式（Ａ−Ｉ）におけるＺ3 及びＺ4 と同義であり、又その好ましい範囲も同じである。
Ｘ３及びＸ４は、各々独立に酸素原子、−ＮＲ12−基、または−ＣＲ13Ｒ14−基であることが好ましい。Ｒ9 、Ｒ10、Ｒ12、Ｒ13、及びＲ14は、各々独立に無置換の炭素数１〜６のアルキル基であることが好ましい。
上記Ｒ11は、水素原子又は無置換の炭素数１〜６のアルキル基であることが好ましい。ｋは、１又は２であることが好ましい。上記炭素数１〜６のアルキル基は、前記一般式（Ａ−Ｉ）における炭素数１〜６のアルキル基と同義であり、又その好ましい範囲も同じである。
【００５５】
上記一般式（Ａ−II）で表される成分は、更に一般式（Ａ−II−１）、（Ａ−II−２）、又は（Ａ−II−３）で表される成分からなることが好ましい。
【００５６】
【化１６】
0004234822.tif 000013
【００５７】
[ 式中、Ｒ15、Ｒ16、Ｒ18、Ｒ19、Ｒ20、及びＲ21は、各々独立に、無置換の炭素数１〜６のアルキル基を表し、Ｒ17は水素原子または無置換の炭素数１〜６のアルキル基を表し、そしてｋは、１又は２を表す。］
【００５８】
【化１７】
【００５９】
［式中、Ｒ15、Ｒ16、Ｒ18、Ｒ19、Ｒ20、及びＲ21は、各々独立に、無置換の炭素数１〜６のアルキル基を表し、Ｒ17は水素原子または無置換の炭素数１〜６のアルキル基を表し、Ｘは、水素原子、無置換の炭素数１〜６のアルキル基、又は炭素数１〜６のアルコキシ基を表し、そしてｋは、１又は２を表す。］
【００６０】
【化１８】
0004234822.tif 000014
【００６１】
[ 式中、Ｒ15、Ｒ16、Ｒ18、Ｒ19、Ｒ20、及びＲ21は、各々独立に、炭素数１〜８のアルキル基を表し、Ｒ17は水素原子または炭素数１〜６のアルキル基を表し、そしてｋは、１又は２を表す。］
上記一般式（Ａ−II−１）、（Ａ−II−２）、又は（Ａ−II−３）における炭素数１〜６のアルキル基、又は炭素数１〜６のアルコキシ基は、前記一般式（Ａ−II）における炭素数１〜６のアルキル基又は炭素数１〜６のアルコキシ基とそれぞれ同義であり、またその好ましい範囲もそれぞれ同じである。
【００６２】
次に、アニオン部（Ｂ）について詳述する。アニオン性を示す成分（Ｂ）は下記の一般式で表される。
【００６３】
【化１９】
0004234822.tif 000015
【００６４】
Ｘ11及びＸ12は互いに同一で、酸素原子、＝ＮＲ31基、または＝ＣＲ32Ｒ33基を表す。Ｒ31、Ｒ32及びＲ33は各々独立に水素原子又は置換基を表す。Ｒ34、Ｒ35、Ｒ36及びＲ37は各々独立に水素原子又は置換基を表し、かつＲ34、Ｒ35、Ｒ36及びＲ37のうちの少なくとも一つは陰イオンを有する置換基を表す。
上記Ｒ31、Ｒ32およびＲ33で表される置換基は、前記カチオン性を示す成分（Ａ）におけるＺ1 及びＺ2 の置換基の例と同義である。
上記Ｘ11及びＸ12は互いに同一で、酸素原子又は＝ＣＲ32Ｒ33基であることが好ましく、更に好ましくは、Ｘ11及びＸ12は共に酸素原子又は共に＝ＣＲ32Ｒ33基である。上記Ｒ32、およびＲ33は、各々独立に、ハロゲン原子、シアノ基、アシル基、アルコキシカルボニル基、又はアルキルスルホニル基であることが好ましい。
【００６５】
上記Ｒ34、Ｒ35、Ｒ36及びＲ37で表される置換基は、前記カチオン性を示す成分（Ａ）におけるＺ1 及びＺ2 の置換基の例と同義である。好ましくは、以下の置換基を挙げることができる。
アルキル基、アルケニル基、アルキニル基、アリール基、アラルキル基、アシル基、アルキル又はアリールスルホニル基、アルキルスルフィニル基、アルコキシカルボニル基、アリールオキシカルボニル基、アルコキシ基、アリールオキシ基、メルカプト基、アルキルチオ基、アリールチオ基、アシルオキシ基、スルホニルオキシ基、カルバモイルオキシ基、アミノ基、アルキルアミノ基、スルファモイルアミノ基、アルコキシカルボニルアミノ基、アルコキシスルホニルアミノ基、アミド基、スルホンアミド基、ウレイド基、カルバモイル基、スルファモイル基、ハロゲン原子、ニトロ基、シアノ基、カルボキシル基、スルホ基、およびヘテロ環基。上記置換基は、可能であれば更に置換基を有していてもよい。
又陰イオンの例としては、スルホン酸イオン、カルボン酸イオン、ホスホン酸イオン、チオラートイオン、スルフィン酸イオン、スルホンアミドアニオン、イミドアニオン、及びボレートイオンを挙げることができる。これらの中では、スルホン酸イオン及びカルボン酸イオンであることが好ましい。
上記Ｒ34、Ｒ35、Ｒ36及びＲ37が共に置換基となるとき、Ｒ34とＲ35、あるいはＲ36とＲ37とが各々共に連結して不飽和縮合環を形成してもよい。又この縮合環は置換基を有していてもよく、その置換基は、前記カチオン性を示す成分（Ａ）におけるＺ1 及びＺ2 の置換基の例と同義である。
【００６６】
上記アニオン性を示す成分（Ｂ）は、下記一般式（Ｂ−Ｉ）又は（Ｂ−II）で表されることが好ましい。
【００６７】
【化２０】
0004234822.tif 000016
【００６８】
上記Ｒ38は、スルホン酸イオン又はカルボン酸イオンを表すか、あるいは、少なくとも一つのスルホン酸イオン又はカルボン酸イオンを有する、アルキル基、アルケニル基、アルキニル基、アリール基、アラルキル基、アシル基、アルキル又はアリールスルホニル基、アルキルスルフィニル基、アルコキシカルボニル基、アリールオキシカルボニル基、アルコキシ基、アリールオキシ基、メルカプト基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、又はヘテロ環基を表すかのいずれかである。上記Ｒ39は、水素原子又は置換基を表す。ｍは１〜４の整数を表す。そしてｍ又は４−ｍが二以上の整数を表すとき、複数のＲ38及び複数のＲ39は、それぞれ互いに同じであっても異なっていてもよい。
【００６９】
【化２１】
0004234822.tif 000017
【００７０】
上記Ｒ40は、スルホン酸イオン又はカルボン酸イオンを表すか、あるいは、少なくとも一つのスルホン酸イオン又はカルボン酸イオンを有する、アルキル基、アルケニル基、アルキニル基、アリール基、アラルキル基、アシル基、アルキル又はアリールスルホニル基、アルキルスルフィニル基、アルコキシカルボニル基、アリールオキシカルボニル基、アルコキシ基、アリールオキシ基、メルカプト基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、またはヘテロ環基を表すかのいずれかである。上記Ｒ41は、水素原子又は置換基を表す。ｍ１は、１〜４の整数を表す。ｍ１又は４−ｍ１が二以上の整数を表すとき、複数のＲ40及び複数のＲ41は、それぞれ互いに同じであっても異なっていてもよい。
【００７１】
上記一般式（Ｂ−Ｉ）又は（Ｂ−II）において、Ｒ39及びＲ41は、前記カチオン性を示す成分（Ａ）におけるＲ34、Ｒ35、Ｒ36及びＲ37の置換基の例と同義であり、又その好ましい範囲も同じである。ｍ及びｍ１は、それぞれ１又は２であることが好ましく、更に好ましくは、ｍ及びｍ１は、共に１である。
【００７２】
上記一般式（Ｂ−Ｉ）又は（Ｂ−II）において、Ｒ38及びＲ40は、各々スルホン酸イオン又はカルボン酸イオンを表すか、あるいは、一又は二個のスルホン酸イオン又はカルボン酸イオンを有する、アルキル基、アルケニル基、アリール基、アルコキシ基、メルカプト基、アルキルチオ基、アルキルアミノ基、アミド基、スルホンアミド基、ウレイド基、またはヘテロ環基を表すかのいずれかであることが好ましい。上記Ｒ38及びＲ40は、各々スルホン酸イオン又はカルボン酸イオンを表すか、あるいは、一又は二個のスルホン酸イオン又はカルボン酸イオンを有する、アルキル基（例、メチル、エチル、ブチル、プロパノイルオキシエチル）、アルケニル基（例、１，３−ブタジエニル）、アルコキシ基（例、メトキシ、エトキシ）、メルカプト基、アルキルチオ基（例、メチルチオ）、アルキルアミノ基（例、メチルアミノ、エチルアミノ）、アミド基（例、アセトアミド、Ｎ−メチルアセトアミド、プロパノイルアミノ）、スルホンアミド基（例、メタンスルホンアミド）又はウレイド基（例、メチルウレイド、エチルウレイド）を表すかのいずれかであることが更に好ましい。
【００７３】
上記一般式（Ｂ−Ｉ）又は（Ｂ−II）において、Ｒ39及びＲ41は、各々水素原子、アルキル基、アルケニル基、アシル基、アルキル又はアリールスルホニル基、アルキルスルフィニル基、アルコキシカルボニル基、アリールオキシカルボニル基、アルコキシ基、アルキルチオ基、アリールチオ基、アシルオキシ基、スルホニルオキシ基、カルバモイルオキシ基、アミノ基、アルキルアミノ基、アミド基、スルホンアミド基、ウレイド基、カルバモイル基、スルファモイル基、ハロゲン原子、ニトロ基、又はシアノ基であることが好ましい。上記Ｒ39及びＲ41は、各々水素原子、アルキル基（例、メチル、メトキシエチル）、アルキルスルホニル基（例、エチルスルホニル）、アルコキシカルボニル基（例、メトキシカルボニル）、アルコキシ基（例、メトキシ）、アルキルチオ基（例、メチルチオ）、アルキルアミノ基（例、メチルアミノ）、アミド基（例、アセトアミド、Ｎ−メチルアセトアミド）、スルホンアミド基（例、メタンスルホンアミド）、ウレイド基（例、メチルウレイド）、ハロゲン原子（例、塩素原子、臭素原子）、ニトロ基、又はシアノ基であることが更に好ましい。
【００７４】
本発明で用いられる一般式（Ｉ）で表される色素化合物のカチオン部（Ａ）とアニオン部（Ｂ）の具体例を以下に記載する。
【００７５】
【化２２】
0004234822.tif 000018
【００７６】
【化２３】
0004234822.tif 000019
【００７７】
【化２４】
0004234822.tif 000020
【００７８】
【化２５】
0004234822.tif 000021
【００７９】
【化２６】
0004234822.tif 000022
【００８０】
【化２７】
0004234822.tif 000023
【００８１】
【化２８】
0004234822.tif 000024
【００８２】
【化２９】
0004234822.tif 000025
【００８３】
【化３０】
0004234822.tif 000026
【００８４】
【化３１】
0004234822.tif 000027
【００８５】
【化３２】
0004234822.tif 000028
【００８６】
【化３３】
0004234822.tif 000029
【００８７】
【化３４】
0004234822.tif 000030
【００８８】
【化３５】
0004234822.tif 000031
【００８９】
【化３６】
0004234822.tif 000032
【００９０】
【化３７】
0004234822.tif 000033
【００９１】
【化３８】
0004234822.tif 000034
【００９２】
【化３９】
0004234822.tif 000035
【００９３】
【化４０】
0004234822.tif 000036
【００９４】
【化４１】
0004234822.tif 000037
【００９５】
【化４２】
0004234822.tif 000038
【００９６】
【化４３】
0004234822.tif 000039
【００９７】
【化４４】
0004234822.tif 000040
【００９８】
【化４５】
0004234822.tif 000041
【００９９】
【化４６】
0004234822.tif 000042
【０１００】
【化４７】
0004234822.tif 000043
【０１０１】
本発明で用いられる一般式（Ｉ）で表される色素化合物の好ましい具体例を下記の表１に示す。表１において、化合物例は、カチオン部（Ａ）とアニオン部（Ｂ）との組み合わせからなるものである。例えば、化合物番号１の化合物は、カチオン部（Ａ−１）とアニオン部（Ｂ−１）からなり、下記の式で与えられる。
【０１０２】
【化４８】
0004234822.tif 000044
【０１０３】
【表１】
0004234822.tif 000045
【０１０４】
【表２】
0004234822.tif 000046
【０１０５】
本発明にかかる一般式（Ｉ）で表される色素化合物は、下記の一般式（II）で表される色素化合物のハロゲン塩（例、Ｆ塩、Ｃｌ塩、Ｂｒ塩、Ｉ塩など）、スルホン酸塩（メタンスルホン酸塩、トリフルオロメタンスルホン酸塩、メチル硫酸塩、ｐ−トルエンスルホン酸塩、ｐ−クロロベンゼンスルホン酸塩、１，３−ベンゼンジスルホン酸塩、１，５−ナフタレンジスルホン酸塩、２，６−ナフタレンジスルホン酸塩など）、硫酸塩、チオシアン酸塩、過塩素酸塩、テトラフルオロホウ酸塩、ピクリン酸塩、あるいは酢酸塩と、下記一般式（III ）で表される化合物（電子受容体）の非解離体、アルカリ金属塩（例、Ｌｉ塩、Ｎａ塩、Ｋ塩など）、アンモニウム塩（ＮＨ4 + 塩）、ピリジニウム塩、テトラアルキルアンモニウム塩、あるいはトリエチルアンモニウム塩（Ｅｔ3 ＮＨ+ 塩）との水又は有機溶媒中（メタノール、エタノール、イソプロパノール、ジメチルホルムアミドなど）における塩交換反応によって容易に合成できる。
【０１０６】
【化４９】
0004234822.tif 000047
【０１０７】
式中、Ｚ１１及びＺ１２、Ｒ５１及びＲ５２、Ｌ１１、Ｌ１２、Ｌ１３、Ｌ１４及びＬ１５、ｎ３及びｎ４、並びにｐ１及びｑ１は、前記一般式（Ｉ）におけるＺ１及びＺ２、Ｒ１及びＲ２、Ｌ１、Ｌ２、Ｌ３、Ｌ４及びＬ５、ｎ１及びｎ２、並びにｐ及びｑ１とそれぞれ同義である。
【０１０８】
【化５０】
0004234822.tif 000048
【０１０９】
式中、Ｘ２１及びＸ２２、並びにＲ64、Ｒ65、Ｒ66、及びＲ67、は、前記一般式（Ｉ）におけるＸ11及びＸ12、並びにＲ34、Ｒ35、Ｒ36及びＲ37とそれぞれ同義である。
【０１１０】
一般式（II）で表される色素化合物は、エフ・エム・ハーマー（Ｆ．Ｍ．Ｈａｍｅｒ）著「ヘテロサイクリック・コンパウンズーシアニン・ダイズ・アンド・リレイテッド・コンパウンズ（Heterocyclic Compounds-Cyanine Dyes and Related Compounds)」, ジョン・ウィリー・アンド・サンズ（John Wiley & Sons)社ーニューヨーク、ロンドン、１９６４年刊；デー・エム・スターマー（Ｄ．Ｍ．Ｓｔｕｒｍｅｒ）著「ヘテロサイクリック・コンパウンズースペシャル・トピックス・イン・ヘテロサイクリック・ケミストリー(Heterocyclic Compounds-Special topics in heterocyclic chemistry) 」、第１８章、第１４節、第４８２から５１５頁、ジョン・ウィリー・アンド・サンズ（John Wiley & Sons)社ーニューヨーク、ロンドン、１９７７年刊；「ロッズ・ケミストリー・オブ・カーボン・コンパウンズ(Rodd's Chemistry of Carbon Compounds)」 2nd.Ed.vol.IV,partB, １９７７年刊、第１５章、第３６９から４２２頁、エルセビア・サイエンス・パブリック・カンパニー・インク(Elsevir Science Publishing Company Inc.) 社刊、ニューヨーク、などに記載の方法に基づいて合成することができる。また、一般式（III ）で表される電子受容体は、J.Med.Chem.,vol.32,1636-1642(1989)、J.Am.Chem.Soc.,vol.61,450-452(1939) 、J.Am.Chem.Soc.,vol.94,9175-9177(1972) 、Chem.Ber.,vol.100,2908-2917(1969) 、Tetrahedron,vol.38,1471-1476(1982)、日本化学会誌  243-245(1979) 、J.Org.Chem.,vol.48,3852-3854(1983)等に記載の方法に準じて合成することができる。
【０１１１】
以下に、一般式（Ｉ）で表される色素化合物の合成例を記載する。
（合成例）
（化合物番号５の合成）
前記色素化合物Ａ−１２のｐ−トルエンスルホン酸塩（０．６７ｇ、１．０ミリモル）をメタノール（１０ｍＬ）に溶解させた後、前記化合物Ｂ−１のナトリウム塩（０．２１ｇ、１．０ミリモル）を添加して、室温で３０分間攪拌すると緑色の沈殿物が析出した。得られた沈殿物を濾取し、メタノールで洗浄後、乾燥させて０．５８ｇの化合物（化合物番号５）を得た。これは理論収量の８２％に相当する。
λｍａｘ：６７１ｎｍ（メタノール中）
【０１１２】
（化合物番号１３の合成）
前記色素化合物Ａ−１５のｐ−トルエンスルホン酸塩（０．７５ｇ、１．０ミリモル）をメタノール（１０ｍＬ）に溶解させた後、前記化合物Ｂ−９のナトリウム塩（０．２３ｇ、１．０ミリモル）を添加して、室温で３０分間攪拌すると緑色の沈殿物が析出した。得られた沈殿物を濾取し、メタノールで洗浄後、乾燥させて０．４４ｇの化合物（化合物番号１３）を得た。これは理論収量の５６％に相当する。
λｍａｘ：６７５ｎｍ（メタノール中）
1 Ｈ−ＮＭＲ（ＤＭＳＯ- ｄ6 ）：８．２〜８．４（ｍ, ４Ｈ）, ８．１（ｔ, ４Ｈ）, ７．８（ｄ, ２Ｈ）, ７．７（ｔ, ２Ｈ）, ７．５（ｔ, ２Ｈ）, ６．３（ｄ, ２Ｈ）, ４．４（ｔ, ４Ｈ）, ３．１（ｓ, ２Ｈ）, ２．１（ｓ, １５Ｈ）, １．８（ｍ, ４Ｈ）, １．５（ｍ, １０Ｈ）, ０．９（ｔ, ６Ｈ）
【０１１３】
（化合物番号１６の合成）
前記色素化合物Ａ−１５のｐ−トルエンスルホン酸塩（０．７５ｇ、１．０ミリモル）をメタノール（１０ｍＬ）に溶解させた後、前記化合物Ｂ−５３のナトリウム塩（０．２７ｇ、１．０ミリモル）を添加して、室温で３０分間攪拌すると緑色の沈殿物が析出した。得られた沈殿物を濾取し、メタノールで洗浄後、乾燥させて０．６１ｇの化合物（化合物番号１６）を得た。これは理論収量の７２％に相当する。
λｍａｘ：６７５ｎｍ（メタノール中）
1 Ｈ−ＮＭＲ（ＤＭＳＯ- ｄ6 ）：８．２〜８．４（ｍ, ４Ｈ）, ８．１（ｔ, ４Ｈ）, ７．１〜７．８（ｍ, ９Ｈ）, ６．３（ｄ, ２Ｈ）, ４．４（ｔ, ４Ｈ）, ２．２〜３．４（ｍ, ４Ｈ）, ２．１（ｓ, １５Ｈ）, １．８（ｍ, ４Ｈ）, １．５（ｍ, ４Ｈ）, ０．９（ｔ, ６Ｈ）
【０１１４】
一般式（Ｉ）で表される色素化合物は、目的に応じて２種以上併用することができる。さらに、従来より情報記録媒体の記録材料として知られている任意の色素を併用してもよい。例えば、本発明に使用される色素以外のシアニン系色素、フタロシアニン系色素、ピリリウム系・チオピリリウム系色素、アズレニウム系色素、スクワリリウム系色素、Ｎｉ、Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素およびニトロソ化合物などを挙げることができる。
【０１１５】
本発明の情報記録媒体は、前記一般式（Ｉ）で表される色素化合物を含む記録層が基板上に設けられてなるものである。本発明の情報記録媒体は、所謂ＣＤ−Ｒ型の情報記録媒体、あるいはＤＶＤ−Ｒ型の情報記録媒体として構成することができる。ＣＤ−Ｒ型の情報記録媒体として構成する場合には、トラックピッチが１．４〜１．６μｍのプレグルーブが形成された円盤状透明基板に、有機色素及び前記一般式（Ｉ）で表される色素化合物を含む記録層を設けた構成とすることが好ましい。また、ＤＶＤ−Ｒ型の情報記録媒体として構成する場合には、トラックピッチが０．６〜０．９μｍのプレグルーブが形成された円盤状透明基板に、前記一般式（Ｉ）で表される色素化合物を含む記録層を設けた構成とすることが好ましい。上記のいずれの態様の情報記録媒体においても該記録層の上には反射層が設けられていることが好ましく、更にその反射層の上に保護層が設けられていることが好ましい。
【０１１６】
上記ＤＶＤ−Ｒ型の情報記録媒体は、具体的には以下の二つの形態で構成されていることが好ましい。
（１）トラックピッチが０．６〜０．９μｍのプレグルーブが形成された、厚さが０．６±０．１ｍｍの円盤状透明基板の該プレグルーブが設けられている側の表面に前記一般式（Ｉ）で表される色素化合物を含む記録層が設けられてなる二枚の積層体をそれぞれの記録層が内側となるように接合してなる情報記録媒体。
【０１１７】
（２）トラックピッチが０．６〜０．９μｍのプレグルーブが形成された、厚さが０．６±０．１ｍｍの円盤状透明基板の該プレグルーブが設けられている側の表面に、前記一般式（Ｉ）で表される色素化合物を含む記録層が設けられてなる積層体と、該積層体の基板と略同じ直径の円盤状透明基板とを、それぞれの記録層が内側となるように接合してなる情報記録媒体。なお、上記の形態の情報記録媒体においても、記録層の上に更に反射層が設けられていることが好ましく、更に反射層の上には、保護層（接着剤により形成される層）が設けられていることが好ましい。
【０１１８】
本発明の情報記録媒体の製造方法について説明する。本発明のＣＤ−Ｒ型の情報記録媒体は、例えば、以下に述べるような方法により製造することができる。なお、ＤＶＤ−Ｒ型の情報記録媒体においても基本的には、ＣＤ−Ｒ型と同様な方法で製造することができる。以下では、ＣＤ−Ｒ型の情報記録媒体の製造方法を中心に説明する。
【０１１９】
基板は、従来の情報記録媒体の基板として用いられている各種の材料から任意に選択することができる。基板材料としては、例えばガラス；ポリカーボネート；ポリメチルメタクリレート等のアクリル樹脂；ポリ塩化ビニル、塩化ビニル共重合体等の塩化ビニル系樹脂；エポキシ樹脂；アモルファスポリオレフィンおよびポリエステルなどを挙げることができ、所望によりそれらを併用してもよい。なお、これらの材料はフィルム状としてまたは剛性のある基板として使うことができる。上記材料の中では、耐湿性、寸法安定性および価格などの点からポリカーボネートが好ましい。これらの材料は、レーザ光が透過し得る材料が選ばれるが、透過率は、好ましくは、７０〜１００％である。
【０１２０】
記録層が設けられる側の基板表面には、平面性の改善、接着力の向上および記録層の変質の防止の目的で下塗層が設けられてもよい。下塗層の材料としてはたとえば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；およびシランカップリング剤などの表面改質剤を挙げることができる。下塗層は、上記物質を適当な溶剤に溶解または分散して塗布液を調製したのち、この塗布液をスピンコート、ディップコート、エクストルージョンコートなどの塗布法により基板表面に塗布することにより形成することができる。下塗層の層厚は一般に０．００５〜２０μｍの範囲にあり、好ましくは０．０１〜１０μｍの範囲である。
【０１２１】
基板（または下塗層）上には、トラッキング用溝またはアドレス信号等の情報を表わす凹凸（プレグルーブ）が形成されていることが好ましい。このプレグルーブは、ポリカーボネートなどの樹脂材料を射出成形あるいは押出成形する際に直接基板上に形成されることが好ましい。
【０１２２】
また、プレグルーブの形成を、プレグルーブ層を設けることにより行ってもよい。プレグルーブ層の材料としては、アクリル酸のモノエステル、ジエステル、トリエステルおよびテトラエステルのうちの少なくとも一種のモノマー（またはオリゴマー）と光重合開始剤との混合物を用いることができる。プレグルーブ層の形成は、例えば、まず精密に作られた母型（スタンパ）上に上記のアクリル酸エステルおよび重合開始剤からなる混合液を塗布し、さらにこの塗布液層上に基板を載せたのち、基板または母型を介して紫外線を照射するにより、塗布層を硬化させて基板と塗布層とを固着させる。次いで、基板を母型から剥離することにより得ることができる。プレグルーブ層の層厚は一般に０．０５〜１００μｍの範囲にあり、好ましくは０．１〜５０μｍの範囲である。
【０１２３】
基板上に設けられるプレグルーブの深さは３００〜２０００オングストロームの範囲にあることが好ましく、またプレグルーブの半値幅は０．２〜０．９μｍの範囲にあることが好ましい。また、プレグルーブ層の深さを１５００〜２０００オングストロームの範囲にすることにより反射率をほとんど低下させることなく感度を向上させることができ、特に好ましい。従って、このような光ディスク（深いプレグルーブの基板に、一般式（Ｉ）で表されるシアニン色素化合物からなる記録層およびその上に反射層が形成された光ディスク）は、高い感度を有することから、低いレーザーパワーでも記録が可能となり、これにより安価な半導体レーザの使用が可能となる、あるいは半導体レーザの使用寿命を延ばすことができる等の利点を有する。
【０１２４】
基板上（又は下塗り層）の表面（プレグルーブが形成されている場合にはその表面上）には、色素記録層が設けられる。色素記録層には本発明にかかる前記前記一般式（Ｉ）で表されるシアニン色素化合物が含有される。記録層の形成は、該色素化合物、さらに所望によりクエンチャー、結合剤などを溶剤に溶解して塗布液を調製し、次いでこの塗布液を基板表面（もしくは下塗り層の表面）に塗布して塗膜を形成したのち乾燥することにより行なうことができる。
【０１２５】
色素記録層形成用の塗布液の溶剤としては、酢酸ブチル、セロソルブアセテートなどのエステル；メチルエチルケトン、シクロヘキサノン、メチルイソブチルケトンなどのケトン；ジクロルメタン、１、２−ジクロルエタン、クロロホルムなどの塩素化炭化水素；ジメチルホルムアミドなどのアミド；シクロヘキサンなどの炭化水素；テトラヒドロフラン、エチルエーテル、ジオキサンなどのエーテル；エタノール、ｎ−プロパノール、イソプロパノール、ｎ−ブタノール、ジアセトンアルコールなどのアルコール；２，２，３，３−テトラフロロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。上記溶剤は使用する色素の溶解性を考慮して単独または二種以上併用して適宜用いることができる。塗布液中にはさらに酸化防止剤、ＵＶ吸収剤、可塑剤、潤滑剤など各種の添加剤を目的に応じて添加してもよい。
【０１２６】
色素記録層に結合剤を使用する場合の結合剤としては、例えば、ゼラチン、セルロース誘導体、デキストラン、ロジン、ゴムなどの天然有機高分子物質；およびポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。記録層の材料として結合剤を併用する場合に、結合剤の使用量は、色素１重量部に対して一般に１０重量部以下であり、好ましくは、５重量部以下である。このようにして調製される塗布液の濃度は一般に０．０１〜１０重量％の範囲にあり、好ましくは０．１〜５重量％の範囲にある。
【０１２７】
塗布方法としては、スプレー法、スピンコート法、ディップ法、ロールコート法、ブレードコート法、ドクターロール法、スクリーン印刷法などを挙げることができる。記録層は単層でも重層でもよい。記録層の層厚は一般に２０〜５００ｎｍの範囲にあり、好ましくは５０〜３００ｎｍの範囲にある。また、記録層は基板の片面のみならず両面に設けられていてもよい。
【０１２８】
上記記録層の上には、情報の再生時における反射率の向上の目的で、反射層が設けられることが好ましい。反射層の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属あるいはステンレス鋼を挙げることができる。これらのうちで好ましいものは、Ｃｒ、Ｎｉ、Ｐｔ、Ｃｕ、Ａｇ、Ａｕ、Ａｌおよびステンレス鋼である。これらの物質は単独で用いてもよいし、あるいは二種以上の組合せで、または合金として用いてもよい。特に好ましくはＡｕ又はＡｇである。反射層は、たとえば上記光反射性物質を蒸着、スパッタリングまたはイオンプレーティングすることにより記録層の上に形成することができる。反射層の層厚は、一般的には１０〜３００ｎｍの範囲にあり、好ましくは５０〜２００ｎｍである。
【０１２９】
反射層の上には、記録層などを物理的および化学的に保護する目的で保護層を設けることが好ましい。この保護層は、基板の記録層が設けられていない側にも耐傷性、耐湿性を高める目的で設けることもできる。保護層に用いられる材料の例としては、ＳｉＯ、ＳｉＯ2 、ＭｇＦ2 、ＳｎＯ2 、Ｓｉ3 Ｎ4 等の無機物質、熱可塑性樹脂、熱硬化性樹脂、ＵＶ硬化性樹脂等の有機物質を挙げることができる。
【０１３０】
保護層は、たとえばプラスチックの押出加工で得られたフィルムを接着層を反射層上及び／または基板上にラミネートすることにより形成することができる。あるいは真空蒸着、スパッタリング、塗布等の方法により設けられてもよい。また、熱可塑性樹脂、熱硬化性樹脂の場合には、これらを適当な溶剤に溶解して塗布液を調製したのち、この塗布液を塗布し、乾燥することによっても形成することができる。ＵＶ硬化性樹脂の場合には、溶剤を使用することなく、もしくは適当な溶剤に溶解して塗布液を調製したのちこの塗布液を塗布し、ＵＶ光を照射して硬化させることによっても形成することができる。これらの塗布液中には、更に帯電防止剤、酸化防止剤、ＵＶ吸収剤等の各種添加剤を目的に応じて添加してもよい。保護層の層厚は一般には０．１〜１００μｍの範囲にある。
【０１３１】
本発明の情報記録媒体は上述した構成からなる単板であってもよいが、あるいは更に上記構成を有する二枚の基板を記録層が内側となるように向い合わせ、接着剤等を用いて接合することにより、貼り合せタイプの記録媒体を製造することもできる。あるいはまた、二枚の円盤状基板のうちの少なくとも一方に上記構成を有する基板を用いて、リング状内側スペーサとリング状外側スペーサとを介して接合することにより、エアーサンドイッチタイプの記録媒体を製造することがもきる。
【０１３２】
ＣＤ−Ｒ型の情報記録媒体は上記のような方法で製造することができる。得られた情報記録媒体は反射率が８０％前後と高いため、市販のＣＤプレーヤで再生することができる。従って、高反射率を有しかつ耐光性に優れた光ディスクを得ることができる。
【０１３３】
また、上記のようにして製造した、基板上に記録層、及び反射層、そして所望により保護層を設けた二枚の積層体を各々の記録層が内側となるように接着剤で貼り合わせることにより、二つの記録層を持つＤＶＤ−Ｒ型の情報記録媒体を製造することができる。また、上記のようにして得られた一枚の積層体と、該積層体の基板と略同じ直径の円盤状保護基板とを記録層が内側となるように接着剤で貼り合わせることにより、片面のみに記録層を持つＤＶＤ−Ｒ型の情報記録媒体を製造することができる。
【０１３４】
光情報記録方法は、本発明の上記情報記録媒体を用いて、例えば、次のように行われる。まず、情報記録媒体を所定の定線速度（ＣＤフォーマットの場合は１．２〜１. ４ｍ／秒）または所定の定角速度にて回転させながら、基板側から半導体レーザー光などの記録用の光を照射する。この光の照射により、記録層の照射部分がその光を吸収して局所的に温度が上昇し、物理的あるいは化学的な変化が生じてその光学的特性を変えることにより、情報が記録される。記録光としては５００ｎｍ〜８５０ｎｍの範囲の発振波長を有する半導体レーザービームが用いられる。用いられるレーザービームの波長は好ましくは５００ｎｍ〜８００ｎｍの範囲である。そしてＣＤ−Ｒ型の情報記録媒体においては、レーザービームの波長は７５０〜８５０ｎｍ（更に好ましくは、７７０〜７９５ｎｍ、特に７７５〜７９０ｎｍ）の範囲にあることが好ましい。またはＤＶＤ−Ｒ型の情報記録媒体においては、レーザービームの波長は６００〜７００ｎｍ（更に好ましくは、６２０〜６８０ｎｍ、特に６３０〜６５５ｎｍ）の範囲にあることが好ましい。上記のように記録された情報の再生は、情報記録媒体を所定の定線速度で回転させながら半導体レーザー光を基板側から照射して、その反射光を検出することにより行うことができる。なお、本発明の情報記録媒体は、上記のような通常のＣＤフォーマットの場合の１倍速はもとより、４倍速、あるいはそれ以上の高速での記録再生も可能である。
【０１３５】
【実施例】
以下に本発明の実施例及び比較例を記載する。ただし、これらの各例は本発明を制限するものではない。
【０１３６】
［実施例１］
本発明に係るシアニン色素化合物（化合物番号５）を２，２，３，３−テトラフルオロプロパノールの溶媒に溶解させ、記録層形成用塗布液（塗布液の濃度：２．５重量％）を調製した。
得られた塗布液を直径１２０ｍｍ、厚さ１．２ｍｍのポリカーボネート基板上に約１４０ｎｍ（グルーブ内）の厚さに塗設した。基板としては、予め、スパイラルプレグルーブ（グルーブピッチ１．７μｍ、溝幅０．４μｍに、溝深さ０．１６μｍ）が射出成形によって形成されているものを用いた。
【０１３７】
次いで、記録層の上に更に、金からなる反射層を約１００ｎｍの厚さでスパッタした後、更に、反射層の上に、フォトポリマーからなる保護層（ＵＶ硬化剤ＳＤ−２２０、大日本インキ化学工業（株））を厚さ５μｍになるように塗設し、ＵＶ光を照射させて硬化し、本発明に従う情報記録媒体（光ディスク）を作製した。
【０１３８】
［実施例２］〜［実施例６］
実施例１において、シアニン色素化合物（化合物番号５）の代わりに、本発明に係る下記表２に示されるシアニン色素化合物を用いたこと以外は同様にして本発明に従う情報記録媒体（光ディスク）を作製した。
【０１３９】
［比較例１］
実施例１において、従来から知られている下記式で表されるシアニン色素化合物Ａを用いたこと以外は同様にして比較用の情報記録媒体（光ディスク）を作製した。
【０１４０】
【化５１】
0004234822.tif 000049
【０１４１】
［情報記録媒体としての評価］
得られた光ディスクに、ＯＭＴ２０００（パルステック社製）評価機を用いて、波長７８０ｎｍ、線速１．２ｍ／ｓで３Ｔと１１ＴのＥＦＭ信号をレーザーパワーを５ｍＷから１５ｍＷまで種々変えて最適記録パワーで記録した。その後、レーザーパワーを０．５ｍＷで信号を再生し、最適パワーでの３Ｔ、及び１１Ｔの変調度を測定した。また、再生時の最適記録パワーにおけるプレグルーブ（非記録領域）の反射率を測定した。
【０１４２】
また、得られた光デイスクにＸｅランプ（１４万ルクス）を１２時間（ｈ）、２４時間（ｈ）、又は３６時間（ｈ）照射した。そして照射後の光デイスクの記録再生信号の変調度及び反射率を上記と同様にして測定し、耐光性の評価を行なった。以上の評価結果を表２に示す。
【０１４３】
【表３】
0004234822.tif 000050
【０１４４】
【表４】
0004234822.tif 000051
【０１４５】
上記表２の結果から、本発明の一般式（Ｉ）で表されるシアニン色素化合物を含有する記録層を有する実施例１〜６の情報記録媒体（光デイスク）は、従来からよく知られているシアニン色素を含有した記録層を有する比較例１の光デイスクに比べて、キセノンランプ照射後においても変調度の変化が格段に少なく、高い耐光性を有していることがわかる。
【０１４６】
【発明の効果】
本発明に係る一般式（Ｉ）で表される色素化合物を使用することにより、高い変調度、反射率を維持しながら、特に耐光性の向上した情報記録媒体を製造することができる。
【化１７】
0004234822.tif 000052
【化１７】
0004234822.tif 000053